(57)【要約】  非摂取用の消費者製品に感覚刺激効果を付与するための方法であり、その消費者製品にフレグランス組成物を追加することを含む。消費者製品は家庭日用品製品、洗濯製品、パーソナルケア製品、および化粧品製品から選択される。フレグランス組成物は、フレグランス組成物の総重量基準で、約０．２重量％から１０重量％未満のイソプレゴールを含む。【特許請求の範囲】
【請求項１】
家庭日用品製品、洗濯製品、パーソナルケア製品、および化粧品製品から選択される非摂取用の消費者製品に感覚刺激効果を付与するための方法であって、
前記消費者製品にフレグランス組成物を追加することを含み、
前記フレグランス組成物が前記フレグランス組成物の総重量基準で、約０．２重量％から１０重量％未満のイソプレゴールを含む、方法。
【請求項２】
前記フレグランス組成物が前記フレグランス組成物の総重量基準で、約０．２から約５重量％のイソプレゴールを含む、請求項１に記載の方法。
【請求項３】
前記消費者製品が前記家庭日用品製品である、請求項１または請求項２に記載の方法。
【請求項４】
前記家庭日用品製品が芳香・消臭剤ディスペンサー器具である、請求項３に記載の方法。
【請求項５】
前記家庭日用品製品が床クリーナーである、請求項３に記載の方法。
【請求項６】
前記家庭日用品製品が台所または浴室表面クリーナーである、請求項３に記載の方法。
【請求項７】
前記家庭日用品製品がトイレ用リムブロックである、請求項３に記載の方法。
【請求項８】
前記消費者製品が前記洗濯製品である、請求項１または請求項２に記載の方法。
【請求項９】
前記消費者製品が前記パーソナルケア製品である、請求項１または請求項２に記載の方法。
【請求項１０】
前記パーソナルケア製品がオードトワレまたはファインフレグランスである、請求項９に記載の方法。
【請求項１１】
前記消費者製品が前記化粧品製品である、請求項１または請求項２に記載の方法。
【請求項１２】
前記イソプレゴールが（−）イソプレゴールである、請求項１から１１のいずれか１項に記載の方法。
【請求項１３】
フレグランス組成物の総重量基準で、約０．２重量％から１０重量％未満のイソプレゴールを含むフレグランス組成物の蒸発および吸入によって、人に感覚刺激効果を与える方法。
【請求項１４】
前記フレグランス組成物が前記フレグランス組成物の総重量基準で、約０．２から約５重量％のイソプレゴールを含む、請求項１３に記載の方法。
【請求項１５】
前記イソプレゴールが（−）イソプレゴールである、請求項１３または請求項１４に記載の方法。
【請求項１６】
イソプレゴールの、またはフレグランス組成物の総重量基準で、約０．２重量％から１０重量％未満のイソプレゴールを含むフレグランス組成物の、感覚刺激剤としての使用。
【請求項１７】
前記フレグランス組成物が前記フレグランス組成物の総重量基準で、約０．２から約５重量％のイソプレゴールを含む、請求項１６に記載の使用。
【請求項１８】
前記イソプレゴールが（−）イソプレゴールである、請求項１６または１７に記載の使用。
【発明の詳細な説明】
【技術分野】
【０００１】
本発明は、イソプレゴールを含む感覚刺激剤に関する。本発明は、また、消費者製品に感覚刺激効果を付与するための方法にも関する。本発明は、さらに、上で定義されている感覚刺激剤の蒸発および吸入によって人に感覚刺激効果を与える方法に関する。
【背景技術】
【０００２】
やる気を高め、リラックス効果を与え、またはストレスの効果に対抗することを助ける製品の消費者からの需要が高まっている。特許文献１には精神賦活剤および組成物が記載されており、それらの効果は随伴陰性変動（ＣＮＶ）と呼ばれる方法によって評価される。感覚刺激効果を有するフレグランス物質は例えば特許文献２および特許文献３にもまた記載されており、前者の出願には感覚刺激効果を測定するＣＮＶ法をもまた記載されている。ＣＮＶはヒト脳の緩徐な電位変化を指標化する周知の方法であり、これは１９６４年にネイチャー誌に掲載された論文に初めて記載された。ＣＮＶは、注意、予期、および予想などの、心的プロセスおよび覚醒度の変化に関する。覚醒度が高いときには、通常状態と比較してＣＮＶの初期成分が増大し、覚醒度が低いときにはＣＮＶの初期成分が減少するということが公知である。例えば、感覚刺激効果を有することが経験的に公知であるジャスミン油を被験者が嗅いだときには、ＣＮＶの初期成分が増大するが、一方で、鎮静効果を有することが経験的に公知であるラベンダー型フレグランスを被験者が嗅いだときには、ＣＮＶの初期成分が減少するということが報告されている（例えば、非特許文献１参照）。ＣＮＶによって決定される匂い化合物の感覚刺激および鎮静効果は、例えば非特許文献２によって報告されている。
【先行技術文献】
【特許文献】
【０００３】
【特許文献１】欧州特許出願公開第２７１６３０３号明細書
【特許文献２】特開昭６３−１９９２９３号公報
【特許文献３】欧州特許出願公開第１８７５９０２号明細書
【非特許文献】
【０００４】
【非特許文献１】Torii et al., 19th Symposium of Taste and Smell, September 11, 1985
【非特許文献２】Okazaki et al., Flavours, Fragrances and Essential Oils., Proceedings of the 13th International Congress of Flavours, Fragrances and Essential Oils, Istanbul, Turkey, 15-19 October 1995., Vol.3
【発明の概要】
【発明が解決しようとする課題】
【０００５】
本発明の目的は、消費者製品に感覚刺激効果を付与するための方法を提供することである。
【課題を解決するための手段】
【０００６】
１つの態様において、本発明は非摂取用の消費者製品に感覚刺激効果を付与するための方法に関し、これは前記消費者製品にフレグランス組成物を追加することを含み、フレグランス組成物は、フレグランス組成物の総重量基準で、約０．２重量％から１０重量％未満のイソプレゴールを含む。
【０００７】
別の態様において、本発明は、フレグランス組成物の総重量基準で、約０．２重量％から１０重量％未満のイソプレゴールを含むフレグランス組成物の蒸発および吸入によって、人に感覚刺激効果を与える方法に関する。
【０００８】
尚も別の態様において、本発明は、イソプレゴールの、またはフレグランス組成物の総重量基準で、約０．２重量％から１０重量％未満のイソプレゴールを含むフレグランス組成物の、感覚刺激剤としての（非治療）使用に関する。
【発明の効果】
【０００９】
本発明においては、非摂取用の消費者製品に感覚刺激効果を付与することが可能である。
【図面の簡単な説明】
【００１０】
【図１】図１は、ＣＮＶ技術の概略図である。
【図２】図２は、典型的なＣＮＶ記録を表しており、フォーカスエリアにおけるヒト脳の電位変化が検出される。
【図３】図３は、ＣＮＶ記録（示されていない）から計算された（フレグランスＡ＋イソプレゴール）の曲線下面積とフレグランスＡ単独の曲線下面積との差を表している。
【図４】図４は、ＣＮＶ記録（図５に示されている）から計算されたフレグランスＢの曲線下面積と空気の曲線下面積との差を表している。
【図５】図５は、空気（黒線）と比較したフレグランスＢ（灰色線）のＣＮＶ記録である。
【図６】図６は、空気（黒線）と比較したフレグランスＣ（灰色線）のＣＮＶ記録である。
【図７】図７は、ＣＮＶ記録（図６に示されている）から計算されたフレグランスＣの曲線下面積と空気の曲線下面積との差を表している。曲線下面積は図５および６の点線の間の値から計算される。
【発明を実施するための形態】
【００１１】
第１の態様によると、本発明は、家庭日用品、洗濯、パーソナルケア、または化粧品製品に感覚刺激効果を付与するための方法に関し、これは前記製品にフレグランス組成物を追加することを含み、フレグランス組成物は、フレグランス組成物の総重量基準で、約０．２重量％から１０重量％未満のイソプレゴール、好ましくは（−）イソプレゴールを含む。
【００１２】
本発明の文脈において、用語「感覚刺激効果」は、随伴陰性変動（ＣＮＶ）によって決定されるヒト被験者の覚醒度を高揚させる効果を言う。本発明の文脈において、用語「感覚刺激」、「賦活」、「活性化」、「覚醒」、および「目覚まし」は交換可能に用いられ得る。同様に、用語「感覚刺激剤」は、本発明の文脈においては、感覚刺激効果を与える薬剤として理解されるべきである。
イソプレゴールは、ラセミ混合物（ＣＡＳ７７８６−６７−６）としてまたは（−）異性体（ＣＡＳ８９−７９−２）としていずれも入手可能である。１つの態様において、イソプレゴールは高砂の製品クールアクト（登録商標）Ｐとして入手可能である。本発明のイソプレゴールは、光学異性体および９０％よりも高い、好ましくは９５％よりも高い、より好ましくは９７．５％よりも高い、さらにより好ましくは９９％よりも高い化学的純度を有し得る。イソプレゴール純度は、ＵＳ５，７７３，４１０に記載されている方法を用いるガスクロマトグラフィーによって、不純物ピークの面積パーセントを合計することと測定された総面積（これは１００％であるととられる）からそれらを差し引くこととによって決定される。
【００１３】
イソプレゴールは、肌につけられたときに冷感効果を示す冷感剤として公知であるが、意外なことに、本発明者らは、特に散布されてから空気中に蒸発するフレグランス組成物に調合されたときに、イソプレゴールが感覚刺激効果をもまた生ずるということを今や見いだした。
【００１４】
１つの態様において、イソプレゴールはフレグランス組成物中に存在する。フレグランス組成物は、フレグランス組成物の総重量基準で、約０．２から１０重量％未満、約０．２から約９重量％、約０．２から約８重量％、約０．２から約７重量％、約０．２から約６重量％、約０．２から約５重量％、約０．２から約４重量％、または約０．２から約３重量％のイソプレゴールを含むことが好ましい。フレグランス組成物は、フレグランス組成物の総重量基準で、約１から約９重量％、約１から約８重量％、約１から約７重量％、約１から約６重量％、約１から約５重量％、約１から約４重量％、または約１から約３重量％のイソプレゴールを含んでいてもよい。フレグランス組成物は、フレグランス組成物の総重量基準で、約２から約９重量％、約２から約８重量％、約２から約７重量％、約２から約６重量％、約２から約５重量％、または約２から約４重量％のイソプレゴールをまた含んでいてもよい。
【００１５】
１つの態様において、フレグランス組成物は、１−メントキシ−プロパンジオール、１−メントール、およびｐ−メンタン−３，８−ジオールのいずれをも含まない。別の態様において、フレグランス組成物は次の式のジエステルを含まない。
【化１】
2019506469.tif 000002
【００１６】
上の式中において、ＡはＣＨ２またはＣＨ＝ＣＨを表し、ｎはＡがＣＨ２であるときに０から４の整数を、またはＡがＣＨ＝ＣＨであるときに１を表し、Ｂはパラ−メンタン骨格を含有する１０個から１８個の炭素原子を有するアルコール残基であり、これは置換されていてもよく、Ｃは６つから１８個の炭素原子を有するアルコール残基であり、これは置換されていてもよい。
【００１７】
別の態様において、フレグランス組成物は次の式のサリチル酸エステルを含まない。
【化２】
2019506469.tif 000003
【００１８】
上の式中において、Ｒは１つから１８個の炭素原子を有する炭化水素基を表し、これは置換されていてもよい。
【００１９】
典型的には、フレグランス組成物は、イソプレゴールに加えて、香料成分、好ましくは少なくとも２つの、例えば少なくとも５つの、または少なくとも８つの各独特の香料成分を含む。それは、いずれかの所望の匂いを与えるように選ばれた香料成分の高度に複雑な混合物を含んでいてもよい。典型的には、香料成分は消臭剤として働く嗅覚活性物質であり、これは良いにおいを必ずしも与えない。調香の分野において典型的に用いられる本発明の目的にとって好適な香料成分は、S. Arctander, Perfume Flavors and Chemicals 1969, Vols. I and II, Montclair, N. J.およびThe Merck Index, 8thedition, Merck & Co., Inc. Rahway, N. J.により詳しく記載されている。用語香料成分は、香料への使用が公知の天然に存在するおよび合成の香料物質、ならびに動物油を包摂する。香料成分は、フレグランス組成物に用いられるいずれかの天然油もしくは抽出物、または化学化合物でもあってもよい。天然油および抽出物はVan Nostrandによって１９４９年に出版されたThe Essential Oils by E Guentherに記載されており、好適な植物のいずれかの部分：根、根茎、球根、球茎、幹、樹皮、心材、葉、花、種子、および果実からの抽出物、圧搾液、滲出液の収集物、および蒸留物を包含していてもよい。かかる抽出物および蒸留物の例は、柑橘果実油、例えばオレンジ、マンダリン、グレープフルーツ、ライム、もしくはレモン油、樹木油、例えばマツもしくはシダーウッド、ハーブ油、例えばペパーミント、タイム、ラベンダー、バジル、ローズマリー、クローブ、または花抽出物、例えばバラ、ジャスミン、スズラン、もしくはゲラニウム油を包含する。
【００２０】
それぞれの香料成分は、１００ｇ／ｍｏｌよりも大きく、好ましくは１２０ｇ／ｍｏｌよりも大きい、３２５ｇ／ｍｏｌよりも小さく、好ましくは３００ｇ／ｍｏｌよりも小さい分子量を有することが好ましい。さらに、それぞれの香料成分は、７６０ｍｍＨｇにおいて測定されたときに８０〜４００℃の範囲、例えば１００〜３５０℃の範囲の沸点を有することが好ましい。
【００２１】
香料成分は次のリストから選択されることが好ましい。
【００２２】
Ｃ８〜Ｃ１８炭化水素、好ましくはデルタ−３−カレン、アルファ−ピネン、ベータ−ピネン、アルファ−テルピネン、ガンマ−テルピネン、ｐ−シメン、ビサボレン、カンフェン、カリオフィレン、セドレン、ファルネセン、リモネン、ロンギホレン、ミルセン、オシメン、バレンセン、および（Ｅ，Ｚ）−１，３，５−ウンデカトリエン。
【００２３】
Ｃ２〜Ｃ１８脂肪族アルコール、好ましくはヘキサノール、オクタノール、３−オクタノール、２，６−ジメチルヘプタノール、２−メチルヘプタノール、２−メチルオクタノール、（Ｅ）−３−ヘキセノール、（Ｅ）および（Ｚ）−３−ヘキセノール、１−オクテン−３−オール、３，４，５，６，６−ペンタメチル−３／４−ヘプテン−２−オールおよび３，５，６，６−テトラメチル−４−メチレンヘプタン−２−オールの混合物、（Ｅ，Ｚ）−２，６−ノナジエノール、３，７−ジメチル−７−メトキシオクタン−２−オール、９−デセノール、１０−ウンデセノール、ならびに４−メチル−３−デセン−５−オール。
【００２４】
Ｃ２〜Ｃ１８脂肪族アルデヒドおよびそれらのアセタール、好ましくはヘキサナール、ヘプタナール、オクタナール、ノナナール、デカナール、ウンデカナール、ドデカナール、トリデカナール、２−メチルオクタナール、２−メチルノナナール、（Ｅ）−２−ヘキセナール、（Ｚ）−４−ヘプテナール、２，６−ジメチル−５−ヘプテナール、１０−ウンデセナール、（Ｅ）−４−デセナール、２−ドデセナール、２，６，１０−トリメチル−５，９−ウンデカジエナール、ヘプタナールジエチルアセタール、１，１−ジメトキシ−２，２，５−トリメチル−４−ヘキセン、およびシトロネリルオキシアセトアルデヒド。
【００２５】
Ｃ３〜Ｃ１８脂肪族ケトンおよびそのオキシム、好ましくは２−ヘプタノン、２−オクタノン、３−オクタノン、２−ノナノン、５−メチル−３−ヘプタノン、５−メチル−３−ヘプタノンオキシム、および２，４，４，７−テトラメチル−６−オクテン−３−オン。
【００２６】
Ｃ２〜Ｃ１８脂肪族の硫黄含有化合物、好ましくは３−メチルチオヘキサノール、酢酸３−メチルチオヘキシル、３−メルカプトヘキサノール、酢酸３−メルカプトヘキシル、酪酸３−メルカプトヘキシル、酢酸３−アセチルチオヘキシル、および１−メンテン−８−チオール。
【００２７】
Ｃ２〜Ｃ１８脂肪族のニトリル含有化合物、好ましくは２−ノネンニトリル、２−トリデセネンニトリル、２，１２−トリデセネン−ニトリル、３，７−ジメチル−２，６−オクタジエンニトリル、および３，７−ジメチル−６−オクテンニトリル。
【００２８】
Ｃ２〜Ｃ１８脂肪族カルボン酸およびそのエステル、好ましくはギ酸（Ｅ）−および（Ｚ）−３−ヘキセニル、アセト酢酸エチル、酢酸イソアミル、酢酸ヘキシル、酢酸３，５，５−トリメチルヘキシル、酢酸３−メチル−２−ブテニル、酢酸（Ｅ）−２−ヘキセニル、酢酸（Ｅ）−および（Ｚ）−３−ヘキセニル、酢酸オクチル、酢酸３−オクチル、酢酸１−オクテン−３−イル、酪酸エチル、酪酸ブチル、酪酸イソアミル、酪酸ヘキシル、イソ酪酸（Ｅ）−および（Ｚ）−３−ヘキセニル、クロトン酸ヘキシル、イソ吉草酸エチル、２−メチルペンタン酸エチル、ヘキサン酸エチル、ヘキサン酸アリル、ヘプタン酸エチル、ヘプタン酸アリル、オクタン酸エチル、（Ｅ，Ｚ）−２，４−デカジエン酸エチル、２−オクチン酸メチル、２−ノニン酸メチル、２−イソアミルオキシ酢酸アリル、ならびに３，７−ジメチル−２，６−オクタジエン酸メチル。
【００２９】
Ｃ４〜Ｃ１８非環式テルペンアルコール、好ましくはシトロネロール、ゲラニオール、ネロール、リナロール、ラバンジュロール、ネロリドール、ファルネソール、テトラヒドロリナロール、テトラヒドロゲラニオール、２，６−ジメチル−７−オクテン−２−オール、２，６−ジメチルオクタン−２−オール、２−メチル−６−メチレン−７−オクテン−２−オール、２，６−ジメチル−５，７−オクタジエン−２−オール、２，６−ジメチル−３，５−オクタジエン−２−オール、３，７−ジメチル−４，６−オクタジエン−３−オール、３，７−ジメチル−１，５，７−オクタトリエン−３−オール、および２，６−ジメチル−２，５，７−オクタトリエン−１−オール。
【００３０】
Ｃ４〜Ｃ１８非環式テルペンアルデヒドおよびケトン、好ましくはゲラニアール、ネラール、シトロネラール、７−ヒドロキシ−３，７−ジメチルオクタナール、７−メトキシ−３，７−ジメチルオクタナール、２，６，１０−トリメチル−９−ウンデセナール、ゲラニルアセトン、ならびにゲラニアール、ネラール、および７−ヒドロキシ−３，７−ジメチルオクタナールのジメチルおよびジエチルアセタール。
【００３１】
Ｃ４〜Ｃ１８環式テルペンアルコール、好ましくはアルファ−テルピネオール、テルピネオール−４、メンタン−８−オール、メンタン−１−オール、メンタン−７−オール、ボルネオール、イソボルネオール、リナロールオキシド、ノポール、セドロール、アンブリノール、ベチベロール、およびグアイオール。
【００３２】
Ｃ４〜Ｃ１８環式テルペンアルデヒドおよびケトン、好ましくはフェンコン、アルファ−イオノン、ベータ−イオノン、アルファ−ｎ−メチルイオノン、ベータ−ｎ−メチルイオノン、アルファ−イソメチルイオノン、ベータ−イソメチルイオノン、アルファ−イロン、アルファ−ダマスコン、ベータ−ダマスコン、ベータ−ダマセノン、デルタ−ダマスコン、ガンマ−ダマスコン、１−（２，４，４−トリメチル−２−シクロヘキセン−１−イル）−２−ブテン−１−オン、１，３，４，６，７，８ａ−ヘキサヒドロ−１，１，５，５−テトラメチル−２Ｈ−２，４ａ−メタノナフタレン−８（５Ｈ）−オン、ノートカトン、ジヒドロノートカトン、アルファ−シネンサール、ベータ−シネンサール、およびメチルセドリルケトン。
【００３３】
Ｃ４〜Ｃ１８環式アルコール、好ましくは４−ｔｅｒｔ−ブチルシクロヘキサノール、３，３，５−トリメチルシクロヘキサノール、３−イソカンフィルシクロヘキサノール、２，６，９−トリメチル−Ｚ２，Ｚ５，Ｅ９−シクロドデカトリエン−１−オール、および２−イソブチル−４−メチルテトラヒドロ−２Ｈ−ピラン−４−オール。
【００３４】
Ｃ４〜Ｃ１８脂環式アルコール、好ましくはアルファ−３，３−トリメチルシクロヘキシルメタノール、２−メチル−４−（２，２，３−トリメチル−３−シクロペンタ−１−イル）ブタノール、２−メチル−４−（２，２，３−トリメチル−３−シクロペンタ−１−イル）−２−ブテン−１−オール、２−エチル−４−（２，２，３−トリメチル−３−シクロペンタ−１−イル）−２−ブテン−１−オール、３−メチル−５−（２，２，３−トリメチル−３−シクロペンタ−１−イル）−ペンタン−２−オール、３−メチル−５−（２，２，３−トリメチル−３−シクロペンタ−１−イル）−４−ペンテン−２−オール、３，３−ジメチル−５−（２，２，３−トリメチル−３−シクロペンタ−１−イル）−４−ペンテン−２−オール、１−（２，２，６−トリメチルシクロヘキシル）ペンタン−３−オール、および１−（２，２，６−トリメチルシクロヘキシル）ヘキサン−３−オール。
【００３５】
Ｃ４〜Ｃ１８環式および脂環式エーテル、好ましくはセドリルメチルエーテル、シクロドデシルメチルエーテル、（エトキシメトキシ）シクロドデカン、アルファ−セドレンエポキシド、３ａ，６，６，９ａ−テトラメチル−ドデカヒドロナフト［２，１−ｂ］フラン、３ａ−エチル−６，６，９ａ−トリメチルドデカヒドロ−ナフト［２，１−ｂ］フラン、１，５，９−トリメチル−１３−オキサビシクロ［１０．１．０］トリデカ−４，８−ジエン、ローズオキシド、および２−（２，４−ジメチル−３−シクロヘキセン−１−イル）−５−メチル−５−（１−メチルプロピル）−１，３−ジオキサン。
【００３６】
Ｃ４〜Ｃ１８環式ケトン、好ましくは４−ｔｅｒｔ−ブチルシクロヘキサノン、２，２，５−トリメチル−５−ペンチルシクロペンタノン、２−へプチルシクロペンタノン、２−ペンチルシクロペンタノン、２−ヒドロキシ−３−メチル−２−シクロペンテン−１−オン、３−メチル−ｃｉｓ−２−ペンテン−１−イル−２−シクロペンテン−１−オン、３−メチル−２−ペンチル−２−シクロペンテン−１−オン、３−メチル−４−シクロペンタデセノン、３−メチル−５−シクロペンタデセノン、３−メチルシクロペンタデカノン、４−（１−エトキシビニル）−３，３，５，５−テトラメチルシクロヘキサノン、４−ｔｅｒｔ−ペンチルシクロヘキサノン、５−シクロヘキサデセン−１−オン、６，７−ジヒドロ−１，１，２，３，３−ペンタメチル−４（５Ｈ）−インダノン、９−シクロヘプタデセン−１−オン、シクロペンタデカノン、およびシクロヘキサデカノン。
【００３７】
Ｃ４〜Ｃ１８脂環式アルデヒド、好ましくは２，４−ジメチル−３−シクロヘキセンカルバルデヒド、２−メチル−４−（２，２，６−トリメチル−シクロヘキセン−１−イル）−２−ブテナール、４−（４−ヒドロキシ−４−メチルペンチル）−３−シクロヘキセンカルバルデヒド、および４−（４−メチル−３−ペンテン−１−イル）−３−シクロヘキセンカルバルデヒド。
【００３８】
Ｃ４〜Ｃ１８脂環式ケトン、好ましくは１−（３，３−ジメチルシクロヘキシル）−４−ペンテン−１−オン、１−（５，５−ジメチル−１−シクロヘキセン−１−イル）−４−ペンテン−１−オン、２，３，８，８−テトラメチル−１，２，３，４，５，６，７，８−オクタヒドロ−２−ナフタレニルメチルケトン、メチル−２，６，１０−トリメチル−２，５，９−シクロドデカトリエニルケトン、およびｔｅｒｔ−ブチル（２，４−ジメチル−３−シクロヘキセン−１−イル）ケトン。
【００３９】
Ｃ４〜Ｃ１８の環式アルコールのエステル、好ましくは酢酸２−ｔｅｒｔ−ブチルシクロヘキシル、酢酸４−ｔｅｒｔ−ブチル−シクロヘキシル、酢酸２−ｔｅｒｔ−ペンチルシクロヘキシル、酢酸４−ｔｅｒｔ−ペンチルシクロヘキシル、酢酸デカヒドロ−２−ナフチル、酢酸３−ペンチルテトラヒドロ−２Ｈ−ピラン−４−イル、酢酸デカヒドロ−２，５，５，８ａ−テトラメチル−２−ナフチル、酢酸４，７−メタノ−３ａ，４，５，６，７，７ａ−ヘキサヒドロ−５または６−インデニル、プロピオン酸４，７−メタノ−３ａ，４，５，６，７，７ａ−ヘキサヒドロ−５または６−インデニル、イソ酪酸４，７−メタノ−３ａ，４，５，６，７，７ａ−ヘキサヒドロ−５または６−インデニル、および酢酸４，７−メタノオクタヒドロ−５または６−インデニル。
【００４０】
Ｃ４〜Ｃ１８の脂環式カルボン酸のエステル、好ましくは３−シクロヘキシルプロピオン酸アリル、シクロヘキシルオキシ酢酸アリル、ジヒドロジャスモン酸メチル、ジャスモン酸メチル、２−ヘキシル−３−オキソシクロペンタンカルボン酸メチル、２−エチル−６，６−ジメチル−２−シクロヘキセンカルボン酸エチル、２，３，６，６−テトラメチル−２−シクロヘキセンカルボン酸エチル、および２−メチル−１，３−ジオキソラン−２−酢酸エチル。
【００４１】
Ｃ４〜Ｃ１８芳香族炭化水素、好ましくはスチレンおよびジフェニルメタン。
【００４２】
Ｃ４〜Ｃ１８芳香脂肪族アルコール、好ましくはベンジルアルコール、１−フェニルエチルアルコール、２−フェニルエチルアルコール、３−フェニルプロパノール、２−フェニルプロパノール、２−フェノキシエタノール、２，２−ジメチル−３−フェニルプロパノール、２，２−ジメチル−３−（３−メチルフェニル）プロパノール、１，１−ジメチル−２−フェニルエチルアルコール、１，１−ジメチル−３−フェニルプロパノール、１−エチル−１−メチル−３−フェニルプロパノール、２−メチル−５−フェニルペンタノール、３−メチル−５−フェニルペンタノール、３−フェニル−２−プロペン−１−オール、４−メトキシベンジルアルコール、および１−（４−イソプロピルフェニル）エタノール。
【００４３】
Ｃ４〜Ｃ１８の芳香脂肪族アルコールおよびＣ４〜Ｃ１８の脂肪族カルボン酸のエステル、好ましくは酢酸ベンジル、プロピオン酸ベンジル、イソ酪酸ベンジル、イソ吉草酸ベンジル、酢酸２−フェニルエチル、プロピオン酸２−フェニルエチル、イソ酪酸２−フェニルエチル、イソ吉草酸２−フェニルエチル、酢酸１−フェニルエチル、酢酸アルファ−トリクロロメチルベンジル、酢酸アルファ，アルファ−ジメチルフェニルエチル、酪酸アルファ，アルファ−ジメチルフェニルエチル、酢酸シンナミル、イソ酪酸２−フェノキシエチル、および酢酸４−メトキシベンジル。
【００４４】
Ｃ２〜Ｃ１８芳香脂肪族エーテル、好ましくは２−フェニルエチルメチルエーテル、２−フェニルエチルイソアミルエーテル、２−フェニルエチル１−エトキシエチルエーテル、フェニルアセトアルデヒドジメチルアセタール、フェニルアセトアルデヒドジエチルアセタール、ヒドロアトロパアルデヒドジメチルアセタール、フェニルアセトアルデヒドグリセロールアセタール、２，４，６−トリメチル−４−フェニル−１，３−ジオキサン、４，４ａ，５，９ｂ−テトラヒドロインデノ［１，２−ｄ］−ｍ−ジオキシン、および４，４ａ，５，９ｂ−テトラヒドロ−２，４−ジメチルインデノ［１，２−ｄ］−ｍ−ジオキシン。
【００４５】
Ｃ４〜Ｃ１８芳香族および芳香脂肪族アルデヒド、好ましくはベンズアルデヒド、フェニルアセトアルデヒド、３−フェニルプロパナール、ヒドロアトロパアルデヒド、４−メチルベンズアルデヒド、４−メチルフェニルアセトアルデヒド、３−（４−エチルフェニル）−２，２−ジメチルプロパナール、２−メチル−３−（４−イソプロピルフェニル）プロパナール、２−メチル−３−（４−ｔｅｒｔ−ブチルフェニル）プロパナール、３−（４−ｔｅｒｔ−ブチルフェニル）プロパナール、シンナムアルデヒド、アルファ−ブチルシンナムアルデヒド、アルファ−アミルシンナムアルデヒド、アルファ−ヘキシルシンナムアルデヒド、３−メチル−５−フェニルペンタナール、４−メトキシベンズアルデヒド、４−ヒドロキシ−３−メトキシベンズアルデヒド、４−ヒドロキシ−３−エトキシベンズアルデヒド、３，４−メチレンジオキシベンズアルデヒド、３，４−ジメトキシベンズアルデヒド、２−メチル−３−（４−メトキシフェニル）プロパナール、および２−メチル−３−（４−メチレンジオキシフェニル）プロパナール。
【００４６】
Ｃ４〜Ｃ１８芳香族および芳香脂肪族ケトン、好ましくはアセトフェノン、４−メチルアセトフェノン、４−メトキシアセトフェノン、４−ｔｅｒｔ−ブチル−２，６−ジメチルアセトフェノン、４−フェニル−２−ブタノン、４−（４−ヒドロキシフェニル）−２−ブタノン、１−（２−ナフタレニル）エタノン、ベンゾフェノン、１，１，２，３，３，６−ヘキサメチル−５−インダニルメチルケトン、６−ｔｅｒｔ−ブチル−１，１−ジメチル−４−インダニルメチルケトン、１−［２，３−ジヒドロ−１，１，２，６−テトラメチル−３−（１−メチルエチル）−１Ｈ−５−インデニル］エタノン、および５’，６’，７’，８’−テトラヒドロ−３’，５’，５’，６’，８’，８’−ヘキサメチル−２−アセトナフトン。
【００４７】
Ｃ４〜Ｃ１８芳香族および芳香脂肪族カルボン酸およびそのエステル、好ましくはフェニル酢酸、安息香酸メチル、安息香酸エチル、安息香酸ヘキシル、安息香酸ベンジル、フェニル酢酸メチル、フェニル酢酸エチル、フェニル酢酸ゲラニル、フェニル酢酸フェニルエチル、ケイ皮酸メチル、ケイ皮酸エチル、ケイ皮酸ベンジル、ケイ皮酸フェニルエチル、ケイ皮酸シンナミル、フェノキシ酢酸アリル、サリチル酸メチル、サリチル酸イソアミル、サリチル酸ヘキシル、サリチル酸シクロヘキシル、サリチル酸ｃｉｓ−３−ヘキセニル、サリチル酸ベンジル、サリチル酸フェニルエチル、２，４−ジヒドロキシ−３，６−ジメチル安息香酸メチル、３−フェニルグリシド酸エチル、および３−メチル−３−フェニルグリシド酸エチル。
【００４８】
Ｃ４〜Ｃ１８の窒素含有芳香族化合物、好ましくは２，４，６−トリニトロ−１，３−ジメチル−５−ｔｅｒｔ−ブチルベンゼン、３，５−ジニトロ−２，６−ジメチル−４−ｔｅｒｔ−ブチルアセトフェノン、シンナモニトリル、５−フェニル−３−メチル−２−ペンテンニトリル、５−フェニル−３−メチルペンタンニトリル、アントラニル酸メチル、Ｎ−メチルアントラニル酸メチル、７−ヒドロキシ−３，７−ジメチルオクタナール、２−メチル−３−（４−ｔｅｒｔ−ブチルフェニル）プロパナール、２，４−ジメチル−３−シクロヘキセン−カルバルデヒドとアントラニル酸メチルのシッフ塩基、６−イソプロピルキノリン、６−イソブチルキノリン、６−ｓｅｃ−ブチルキノリン、インドール、スカトール、２−メトキシ−３−イソプロピルピラジン、および２−イソブチル−３−メトキシピラジン。
【００４９】
フェノール、フェニルエーテル、およびフェニルエステル、好ましくはエストラゴール、アネトール、オイゲノール、オイゲニルメチルエーテル、イソオイゲノール、イソオイゲニルメチルエーテル、チモール、カルバクロール、ジフェニルエーテル、ベータ−ナフチルメチルエーテル、ベータ−ナフチルエチルエーテル、ベータ−ナフチルイソブチルエーテル、１，４−ジメトキシベンゼン、酢酸オイゲニル、２−メトキシ−４−メチルフェノール、２−エトキシ−５−（１−プロペニル）フェノール、およびフェニル酢酸ｐ−クレジル。
【００５０】
Ｃ４〜Ｃ１２のヘテロ環式化合物、好ましくは２，５−ジメチル−４−ヒドロキシ−２Ｈ−フラン−３−オン、２−エチル−４−ヒドロキシ−５−メチル−２Ｈ−フラン−３−オン、３−ヒドロキシ−２−メチル−４Ｈ−ピラン−４−オン、および２−エチル−３−ヒドロキシ−４Ｈ−ピラン−４−オン。
【００５１】
Ｃ４〜Ｃ１８のラクトン、好ましくは１，４−オクタノリド、３−メチル−１，４−オクタノリド、１，４−ノナノリド、１，４−デカノリド、８−デセン−１，４−オリド、１，４−ウンデカノリド、１，４−ドデカノリド、１，５−デカノリド、１，５−ドデカノリド、１，１５−ペンタデカノリド、ｃｉｓおよびｔｒａｎｓ−１１−ペンタデセン−１，１５−オリド、ｃｉｓ−およびｔｒａｎｓ−１２−ペンタデセン−１，１５−オリド、１，１６−ヘキサデカノリド、９−ヘキサデセン−１，１６−オリド、１０−オキサ−１，１６−ヘキサデカノリド、１１−オキサ−１，１６−ヘキサデカノリド、１２−オキサ−１，１６−ヘキサデカノリド、１，１２−ドデカン二酸エチレン、１，１３−トリデカン二酸エチレン、クマリン、２，３−ジヒドロクマリン、ならびにオクタヒドロクマリン。
【００５２】
好ましくは、フレグランス組成物中に存在する香料成分は、イオン化官能基、例えばスルホン酸、硫酸、リン酸、または第四級アンモニウムイオンを含有しない。
【００５３】
本発明のフレグランス組成物は、１つ以上の支持体物質、例えば溶媒またはＵＶ安定剤を包含していてもよい。好適な溶媒の例は、炭化水素、例えば商品名Ｉｓｏｐａｒ（登録商標）で販売されているもの；エーテル、例えばＤｏｗａｎｏｌ（登録商標）商品名で販売されているもの；安息香酸ベンジル；ミリスチン酸イソプロピル；アジピン酸ジアルキル；コハク酸ジアルキル；グルタル酸ジアルキル、例えば商品名Ｆｌｅｘｉｓｏｌｖ（登録商標）で販売されているジメチルエステル；クエン酸エステル、例えばクエン酸トリエチルおよびアセチルクエン酸トリブチル；ダイズメチルエステル、例えばＭＥ−Ｓ１８８５（Ｐｅｔｅｒ−Ｃｒｅｍｅｒ−ＮＡによって販売されている）；フタル酸ジエチル；ジエチレングリコールモノエチルエーテル；３−メトキシ−３−メチル−１−ブタノール；ジプロピレングリコール；ならびにＡｕｇｅｏ（登録商標）Ｃｌｅａｎ−Ｍｕｌｔｉブランド名で販売されているイソプロピリデングリセロールを包含する。ＵＶ安定剤の例は、ブチルメトキシジベンゾイルメタン；ビスエチルヘキシルオキシフェノールメトキシフェニルトリアジン；Ｕｖｉｎｏｌ（登録商標）商品名で販売されているもの、例えばユビナールＤ５０［ビス（２，４−ジヒドロキシフェニル）−メタノン］、ユビナールＭＣ８０（メトキシケイ皮酸エチルヘキシル）、およびユビナールＭ４０（ベンゾフェノン−３）；Ｐａｒｓｏｌ（登録商標）商品名で販売されているもの、例えばＰａｒｓｏｌ（登録商標）ＭＣＸ（ユビナールＭＣ８０と同じ製品）およびＰａｒｓｏｌ（登録商標）１７８９（ブチルメトキシジベンゾイルメタン）；ならびにＴｉｎｏｇａｒｄ（登録商標）商品名で販売されているもの、例えばＴｉｎｏｇａｒｄ（登録商標）ＴＴ（テトラジ−ｔ−ブチルヒドロキシヒドロケイ皮酸ペンタエリスリチル）を包含する。フレグランス組成物が家庭日用品製品に含有されるときに、溶媒（単数または複数）の量は家庭日用品製品の総重量の最大６０重量％、例えば最大５０重量％、例えば最大４０重量％に相当し得る。
【００５４】
本発明のフレグランス組成物は、それらが組み込まれる非摂取用の消費者製品に感覚刺激効果を付与する。
【００５５】
本発明の文脈において、非摂取用の消費者製品は、一般的にはそれが販売される形態での屋内使用のための製品または器具を意味するが、これは、摂取され得る製品、意図的に摂取されるもの、例えば食料品、スナック、および医薬品製品、ならびにまた口中に用いられるもので誤って摂取され得るもの、例えば練り歯磨きおよびマウスウォッシュをいずれも除外する。かかる非摂取用の消費者製品は、髪を清浄化または処理するための製品および／またはそれに関する方法（ブリーチ、髪染、コンディショニング、シャンプー、およびスタイリング製品を包含する）；肌を清浄化または処理するための製品（石鹸、液体石鹸、ウェットティッシュ、シャワージェル、バスフォーム、ボディーウォッシュ、メイク落とし、および角質除去製品を包含する）、外用的につけられる肌処理製品（例えばデオドラントおよび制汗剤、保湿クリーム、ローション、染料化粧品、除毛製品、タルカムパウダー、ボディースプレー、オードトワレ、および他のファインフレグランス）；シェービング製品（例えばシェービングジェル、シェービングフォーム、およびアフターシェーブバーム）、衣類、ソフトファニシング、食器洗い、硬質表面、および自動車室内などの家庭および屋内環境のいずれかの他の表面を清浄化するための製品および／またはそれに関する方法（芳香・消臭剤および香り送達システムを包含するエアケア、カーケア製品、用手式および機械式食器洗い製品を包含する）、ファブリックコンディショナー製品（柔軟仕上げ剤および／またはフレグランス製品、洗濯洗剤製品、ならびにタンブル乾燥機添加物を包含する）；硬質表面清浄化および／または処理製品（台所および浴室表面、ガラス、および研磨表面のための希釈用および直接用途製品、床クリーナー、ならびに便器クリーナー、例えばリムブロックを包含する）、ならびに屋内使用のための他の清浄化製品を包含するが、これに限定されない。
【００５６】
１つの態様において、非摂取用の消費者製品は家庭日用品製品、洗濯製品、パーソナルケア製品、および化粧品製品から選択される。
【００５７】
家庭日用品製品の限定しない例は、芳香・消臭剤ディスペンサー器具、床クリーナー、台所または浴室表面クリーナー、および固体または液体のトイレ用リムブロックを包含する。
【００５８】
芳香・消臭剤ディスペンサー器具は、
−  噴霧器（例えば、自動式スプレー、手動加圧エアロゾルスプレー、もしくはＵＳ２００７／０１２２３７３において例解されているポンプアクションスプレー）、ディフューザー、ジェル、ロウソク、ワックス、ワックスメルト、ポプリ、含浸紙、およびラミネート紙から選択されるパッシブ蒸発器具、または
−  好ましくは加熱素子を含む電動の芳香・消臭剤ディスペンサー器具（前記電動の芳香・消臭剤ディスペンサー器具は、好ましくは圧電器具もしくは例えばＵＳ６，１２３，９３５に記載されているコンセントである）
であってもよい。
【００５９】
別の態様において、本発明の家庭日用品製品は台所もしくは浴室表面クリーナーまたは床クリーナーである。一般目的クリーナーとしてもまた公知の床クリーナーは、カーペットクリーナーをもまた包含する。それらはいくつかの形態であってもよい：均一液体、研磨剤ありまたはなしの増粘した液体、ペースト、ジェル、フォーム、またはスプレー。これらはボトルから直接的にまたは水による希釈後に用いられてもよい。種々の送達方法がユーザーの便宜のために考案されており、いくつかはトリガースプレーボトルから表面にスプレーされ、または代替的にはそれらは直接的に表面に注がれてもよい。それらは、追加の成分、例えば水垢除去のための酸、衛生のための殺生物剤、または漂白剤を含有してもよい。標準的な床クリーナー組成が下の表１で示されており、これは主成分およびそれらの数量を要約している（Surfactant Science Series Vol. 67 Liquid Detergents chapter on Speciality Liquid Household Surface Cleaners p. 479, Table 4より引用）。
【００６０】
【表１】
2019506469.tif 000004
【００６１】
固体のトイレ用リムブロックは、便器または小便器の縁裏に設置されることを意図され、その結果、流しのサイクルの間に、貯水タンクからの水がブロック上を流れ、それによってトイレ用リムブロックの一部を溶かす。本発明はまた、便器の表面に直接的に貼りつくケージなしのリムブロックと、貯水タンク内に置かれ、その中に含有される水中にゆっくり溶ける固体のトイレ貯水タンクブロックとにも関する。これらの２つの製品の溶解性がかなり異なるということは理解されるであろう。なぜなら、１つは常に水中にあるが、他方は水と散発的に短時間接触するからである。しかしながら、これらは両方とも、界面活性剤、充填剤、および本発明に従って定義されるフレグランス組成物、ならびに任意に漂白剤、殺菌剤、および水垢防止剤を含有する。典型的な調合物は、ＥＰ０４６２６４３、ＧＢ２１７８４４２、ＵＳ４，８７４，５３６、およびＵＳ８，６５８，５８８に記載されており、これらはここに参照として取り込まれる。
【００６２】
液体のトイレ用リムブロックは、直接的に便器に前記便器の縁裏から液体組成物を出す器具である。通常は、かかる液体のトイレ用リムブロックは、フックおよび同類などの種々の手段によって便器の縁に取り付けられる。液体のトイレ用リムブロックを装備したトイレが流されるたびに、組成物のある量が便器に出される。液体のトイレ用リムブロックの例はＷＯ０２／４０７９２、ＥＰ０７７５７４１、ＷＯ０１／９４５２０、およびＵＳ２００８／０８６８０１に示されており、これらはここに参照として取り込まれる。
【００６３】
パーソナルケア製品は、いずれもリーブオンまたはリンスオフ製品として肌、髪、および爪につけられ得る製品を包含していてもよい。パーソナルケア製品の限定しない例は、シェービング補助品、シャンプー、ヘアコンディショナー製品、リーブオンスキンケア製品、肌クレンジングまたは洗浄製品（例えば、リンスオフ肌クレンジングまたは洗浄製品）、ウェットティッシュ、ボディースプレー、デオドラントまたは制汗剤、オードトワレ、および他のファインフレグランスを包含する。１つの態様において、パーソナルケア製品はオードトワレまたはファインフレグランスである。
【００６４】
具体的には、シェービング補助品は、フォーム、ジェル、クリーム、およびバーを包含する（例えば、ＵＳ７，０６９，６５８、ＵＳ６，９４４，９５２、ＵＳ６，５９４，９０４、ＵＳ６，１８２，３６５、ＵＳ６，１８５，８２２、ＵＳ６，２９８，５５８、およびＵＳ５，１１３，５８５が援用され得る）。
【００６５】
具体的には、シャンプーおよびヘアコンディショナーは、ツーインワンシャンプーと、特に乾燥もしくはベタベタ髪のために調合された、またはフケ抑制剤などの添加物を含有するシャンプーとを包含する。ヘアコンディショナーはリンスオフまたはリーブオンヘアコンディショナーであり得、ヘアトニック、ブリーチ、着色料、セットおよびスタイリング製品もまた包含される。例えば、ＵＳ６，１６２，４２３、ＵＳ５，９６８，２８６、ＵＳ５，９３５，５６１、ＵＳ５，９３２，２０３、ＵＳ５，８３７，６６１、ＵＳ５，７７６，４４３、ＵＳ５，７５６，４３６、ＵＳ５，６６１，１１８、ＵＳ５，６１８，５２３が援用され得る。
【００６６】
リーブオンスキンケア製品は、肌洗浄製品、ウェットティッシュ、ボディースプレー、デオドラント、および制汗剤を含む。
【００６７】
具体的には、肌洗浄製品は、美容および衛生石鹸、シャワージェル、液体石鹸、ボディーウォッシュ、角質除去ジェルおよびペーストを包含する（例えば、ＵＳ３，６９７，６４４、ＵＳ４，０６５，３９８、ＵＳ４，３８７，０４０が援用され得る）。
【００６８】
具体的には、ウェットティッシュ（シート）は、肌クレンジングシート、赤ちゃん用おしりふき、メイク落としシート、および肌リフレッシュシートを包含する（例えば、ＵＳ４，７７５，５８２、ＷＯ０２／０７７０１、ＷＯ２００７／０６９２１４、およびＷＯ９５／１６４７４が援用され得る）。
【００６９】
具体的には、ボディースプレー、デオドラント、および制汗剤はスティック、液体ロールオンアプリケータ、および加圧スプレーを包含する。
【００７０】
典型的には、オードトワレ調合物は、（重量％）約７５％から約８０％のエタノール、約１０％のフレグランス、約１％未満のＵＶフィルター、任意に約１％未満の着色料、任意に約１％未満の金属封鎖剤を含み、１００％への残部は水である。
【００７１】
洗濯製品の限定しない例は、粉末および液体洗濯洗剤、洗剤錠およびバー、ならびに柔軟仕上げ剤を包含する。１つの態様において、洗濯製品は柔軟仕上げ剤、ファブリックコンディショナー、または洗濯洗剤である。
具体的には、柔軟仕上げ剤およびファブリックコンディショナーは、従来の薄い（例えば、２重量％から８重量％）液体活性成分濃度の柔軟剤および濃い（例えば、１０重量％から４０重量％）液体活性成分濃度の柔軟剤両方、ならびに色または衣類形状および外見を保護するための成分を含有し得るファブリックコンディショナーを包含する（例えば、ＵＳ６，３３５，３１５、ＵＳ５，６７４，８３２、ＵＳ５，７５９，９９０、ＵＳ５，８７７，１４５、ＵＳ５，５７４，１７９が援用され得る）。
【００７２】
洗濯洗剤、特に液体洗濯洗剤は、具体的には軽質液体洗剤および重質液体洗剤を包含し、それらは多層液体または均一液体でもよく、水系または非水系液体でもよい。これらの液体は３５ボトルまたは単位用量サッシェであり得、それらは任意に漂白剤または酵素を含有し得る（例えば、ＵＳ５，９２９，０２２、ＵＳ５，９１６，８６２、ＵＳ５，７３１，２７８、ＵＳ５，４７０，５０７、ＵＳ５，４６６，８０２、ＵＳ５，４６０，７５２、およびＵＳ５，４５８，８１０が援用され得る）。
【００７３】
別の態様において、本発明は、フレグランス組成物の総重量基準で、約０．２重量％から１０重量％未満のイソプレゴール、好ましくは（−）イソプレゴールを含むフレグランス組成物の蒸発および吸入によって、人に感覚刺激効果を与える方法に関する。
【００７４】
尚も別の態様において、本発明は、イソプレゴールの、またはフレグランス組成物の総重量基準で、約０．２重量％から１０重量％未満のイソプレゴールを含むフレグランス組成物の、感覚刺激剤としての（非治療）使用に関する。イソプレゴールは好ましくは（−）イソプレゴールである。
【００７５】
イソプレゴールの感覚刺激効果は、下に記載ならびに図１および２に簡略に要約されているＣＮＶ（随伴陰性変動）法によって決定された。
【００７６】
ＣＮＶはデジタル脳波計ＢＩＯＳＥＭｉ（登録商標）を用いて測定された。ＣＮＶ測定のための電極は国際１０−２０システムに従ってＦｐ１、Ｆｐ２、Ｆ４、Ｆｚ、Ｆ３、Ｔ７、Ｃ３、Ｃｚ、Ｃ４、Ｔ８、Ｐ４、Ｐｚ、Ｐ３、Ｏ１、Ｏｚ、Ｏ２に置かれ、耳たぶの電極が無関電極に設定され、脳波はリンクされた耳たぶを基準として５．０秒毎に記録された。脳波に対する眼球運動のアーティファクトをチェックするために、左眼球の垂直および水平運動もまた記録された。
【００７７】
サンプルの感覚刺激効果の確認は、警告刺激Ｓ１（６０〜６５ｄＢのトーン）を、次に２３００ｍｓ後に第２の刺激Ｓ２（光源）を送達するステップによって実施された。試験フレグランス組成物は、それぞれの取得ピリオドの間に、被験者の鼻から数（例えば１５〜２０）センチメートルに配置された瓶から吸入された。平均の誘発電位は、２０回以上の試行を足すことによって、眼球運動などのいずれかのアーティファクトを除去した後に、Ｍａｔｌａｂ（登録商標）ソフトウェアを用いて、オープンソースツールボックスＥＥＧｌａｂおよびＥＲＰｌａｂによって得られた。ベースラインはＳ１前の５００ｍｓの期間の脳波の平均電圧から決定された。ＣＮＶ波形の評価はTorii et al.（前出）の方法に従って実施され、その中で、ＣＮＶは警告音刺激（Ｓ１）後の４００ｍｓから１，０００ｍｓの間の初期成分の面積（単位：ｍｓ×ｍＨ）によって評価された。
【００７８】
本発明は、実例として示されている次の例のみからより良く理解されるであろう。
【実施例】
【００７９】
例１
表２に示されている次の組成を有するフレグランス組成物を調製した。
【００８０】
【表２】
2019506469.tif 000005
【００８１】
２重量％イソプレゴールを追加したフレグランスＡの効果を、上に記載されているＣＮＶ法によって７人のパネリストを用いて決定した。フレグランスＡをコントロールとして用いた。図３から、イソプレゴールがフレグランスＡのＣＮＶ活性を増強するということが分かる。この増強は、イソプレゴールの包含によって付与される感覚刺激効果に特徴的である。
【００８２】
例２
表３に示されている次の組成を有するフレグランス組成物を調製した。
【００８３】
【表３】
2019506469.tif 000006
【００８４】
フレグランスＢの効果を、上に記載されているＣＮＶ法によって１７人のパネリストを用いて決定した。空気をコントロールとして用いた。図４から、フレグランスＢのＣＮＶ活性が空気のものよりも有意に高いということが分かる（＋２１％の平均の比；ｔ検定ｐ＜０．０５）。この効果はイソプレゴールの包含によって付与される感覚刺激に特徴的である。
【００８５】
例３
表４に示されている次の組成を有するフレグランス組成物を調製した。
【００８６】
【表４】
2019506469.tif 000007
【００８７】
フレグランスＣの効果を、上に記載されているＣＮＶ法によって８人のパネリストを用いて決定した。図７から、フレグランスＣのＣＮＶ活性が空気のものよりも有意に高いということが分かる（平均の比＋３１．９％）。この効果はイソプレゴールの包含によって付与される感覚刺激に特徴的である。
【００８８】
例４
次のオードトワレ調合物は本発明との関連で用いられ得る（量は重量パーセントである）。
エタノール９６：７７．５１％
フレグランスＣ：１０．００％
Ｐａｒｓｏｌ１７８９＊：０．２０％
ＥＤＴＡ２Ｎａ＊＊：０．００１％
脱ミネラル水：ｑｓｐ１００％
＊Ｐａｒｓｏｌ（登録商標）１７８９はＵＶ吸収剤である
＊＊ＥＤＴＡは金属イオン封鎖剤として用いている
【００８９】
本発明を詳細に、またその特定の実施態様の援用により説明したが、その趣旨および範囲を逸脱することなくさまざまな変更や修正を加えることができることは当業者には明らかであろう。本願は２０１６年２月２４日出願の欧州特許出願Ｎｏ．１６３０５２１６．０に基づき、その主題全体はここに参照として取り込まれる。
【産業上の利用可能性】
【００９０】
本発明においては、非摂取用の消費者製品に感覚刺激効果を付与することが可能である。
【図１】
2019506469.tif 000008
【図２】
2019506469.tif 000009
【図３】
2019506469.tif 000010
【図４】
2019506469.tif 000011
【図５】
2019506469.tif 000012
【図６】
2019506469.tif 000013
【図７】
2019506469.tif 000014
【国際調査報告】
2019506469.tif 000015
2019506469.tif 000016
2019506469.tif 000017